(57)【要約】【課題】本発明は、比較的簡素な構成でありながら、化粧パネルに対して化粧蓋を確実に着脱させることができ、しかも誤って化粧蓋から手を滑らせたとしても脱落を防止する空気調和機の室内機を提供する。【解決手段】化粧パネル２は吸込口５と吹出口７ａ〜７ｄおよび隅部に室内機本体１の高さ調整等の作業に必要な開口部８を有するパネル本体４と、このパネル本体に取付け部Ｋを介して取付けられ開口部を開閉自在とする化粧蓋１０と、この化粧蓋に設けられ長孔１９を備えた舌片部１８と、パネル本体に設けられ開口部へ突出して舌片部の長孔に挿通し、化粧蓋が脱落しようとする際に長孔に掛止して化粧蓋の脱落を防止する掛止フック１５とを具備する。【選択図】    図５
2004239560.tif 000002
【特許請求の範囲】
【請求項１】
下面に開口部を有し、内部に熱交換器および送風機等を収容し、被空調室の天井板に設けられる取付用開口部に嵌め込まれて天井裏に取付け固定される空気調和機本体と、
この空気調和機本体の下面開口部を閉成し、被空調室に露出するよう取付けられる化粧パネルとを具備する空気調和機の室内機において、
上記化粧パネルは、
中央部に開口される吸込口と、この吸込口の周辺部に開口される吹出口および、隅部に設けられ空気調和機本体の高さ調整等の作業に必要な開口部を有するパネル本体と、
このパネル本体に取付け手段を介して取付けられ、上記開口部を開閉自在とする化粧蓋と、
この化粧蓋に設けられ、長孔を備えた舌片部と、
上記パネル本体に設けられ、上記開口部へ突出して上記舌片部の長孔に挿通し、化粧蓋が脱落しようとする際に長孔端部に掛止して化粧蓋の脱落を防止する掛止フックと
を具備することを特徴とする空気調和機の室内機。
【請求項２】
下面に開口部を有し、内部に熱交換器および送風機等を収容し、被空調室の天井板開口部に嵌め込まれて天井裏に取付け固定される空気調和機本体と、
この空気調和機本体の下面開口部を閉成し、被空調室に露出するよう取付けられる化粧パネルとを具備する空気調和機の室内機において、
上記化粧パネルは、
中央部に開口される吸込口と、この吸込口の周辺部に開口される吹出口および、隅部に設けられ空気調和機本体の高さ調整等の作業に必要な開口部を有するパネル本体と、
このパネル本体に取付け手段を介して取付けられ、上記開口部を開閉自在とする化粧蓋と、
この化粧蓋に設けられ、左右両側に一対のピン体が突設される舌片部と、
上記パネル本体に設けられ、上記開口部へ突出して上記舌片部を左右両側から挟み込み、化粧蓋が脱落しようとする際に上記ピン体と掛止して化粧蓋の脱落を防止する一対の掛止フックと
を具備することを特徴とする空気調和機の室内機。
【請求項３】
下面に開口部を有し、内部に熱交換器および送風機等を収容し、被空調室の天井板開口部に嵌め込まれて天井裏に取付け固定される空気調和機本体と、
この空気調和機本体の下面開口部を閉成し、被空調室に露出するよう取付けられる化粧パネルとを具備する空気調和機の室内機において、
上記化粧パネルは、
中央部に開口される吸込口と、この吸込口の周辺部に開口される吹出口および、隅部に設けられ空気調和機本体の高さ調整等の作業に必要な開口部を有するパネル本体と、
このパネル本体の上記開口部に一点枢支部を介して回動自在に取付けられ、上記枢支部を支点として回動することにより開口部を開閉自在とする化粧蓋と
を具備することを特徴とする空気調和機の室内機。
【発明の詳細な説明】
【０００１】
【発明の属する技術分野】
本発明は、天井取付型の空気調和機の室内機に係り、特に化粧パネルに設けられる開口部を開閉する化粧蓋の脱落防止構造の改良に関する。
【０００２】
【従来の技術】
空気調和機の室内機として、店舗などの広い空間を空調する場合には、壁面に取付けられる、いわゆる壁掛け形ではなく、天井面から複数の方向に熱交換した風を吹出すことができ、かつ居住者が受ける圧迫感の少ない天井埋込み型とした室内機が多用される傾向にある。
【０００３】
この種の空気調和機における室内機本体の下面には、ほぼ中央部に室内空気を吸込み案内する吸込み口と、この吸込み口の両側もしくは周辺部に分散して開口され熱交換空気を吹出し案内する吹出し口を備えた化粧パネルが取付けられていて、この化粧パネルは室内に露出している。
【０００４】
一方、室内機の支持構造として、天井裏空間に設けられる吊下げボルトおよびナットを介して室内機本体を構成するケーシングが引っ掛けられる。ナットの吊下げボルトに対する螺着位置を調整することで、ケーシングを所定の高さ位置に吊下げ支持できる。
【０００５】
上記ケーシングの吊下げ高さ位置の微調整や、化粧パネルをケーシングに取付ける際の位置調整が可能となるように、化粧パネルの所定の部位に開口部を形成しておき、上記開口部から調整操作を可能としている。
【０００６】
また、空調機設置状態での化粧パネルの見映えを良好に確保するために、高さ位置調整作業を行ったあとで、化粧パネルの開口部を化粧蓋によって覆うようにしている。
【０００７】
【発明が解決しようとする課題】
ここで問題は、上記化粧パネルに対する化粧蓋の取付け構造である。すなわち、化粧蓋は室内機の天井取付けの際に取外すだけでなく、あとのメンテナンス管理を容易にするため等の条件から着脱できる構造とした方が都合がよい。
【０００８】
そこで、［特許公報１］には、化粧パネルのコーナー部に係止可能なフック部および金属プレートを化粧蓋の裏面に設け、化粧パネル側の上記金属プレートに近接した位置に永久磁石を取付け、フック部の係止状態において永久磁石に金属プレートを磁気吸着させる技術が開示されている。
【０００９】
【特許公報１】
特開平７−３２４７６９号公報
【００１０】
しかしながら、化粧蓋の位置をある程度移動すれば、永久磁石の磁気力の影響が薄れてしまい、ほとんど磁気吸着できなくなる。したがって、位置調整操作のために化粧蓋をずらしコーナー部に対するフック部の係止を外した状態で、誤って化粧蓋から手を離せば落下してしまう。
一般的な化粧蓋の脱落防止対策として考えられるのは、紐を介して化粧パネルと化粧蓋とを連結することである。このような紐を用いれば、化粧蓋の着脱の際に誤って化粧蓋から手を滑らせても、化粧蓋は化粧パネルに吊持されるだけで脱落することがなく安全性が確保される。
【００１１】
その反面、紐を化粧パネルと化粧蓋に結び付ける面倒な作業が必要であり、かつ紐の長さを最適に設定するのが難しい。短すぎれば化粧蓋が取外し難く、かつ調整作業時に化粧蓋が邪魔になる。長すぎれば化粧蓋を化粧パネルに嵌め込んだ際に紐が大きく弛み、これらの間に挟み込まれてしまう。
【００１２】
本発明は、上記事情にもとづいてなされたものであり、その目的とするところは、比較的簡素な構成でありながら、化粧パネルに対して化粧蓋を確実に着脱させることができ、しかも誤って化粧蓋から手を滑らせたとしても脱落を防止する空気調和機の室内機を提供しようとするものである。
【００１３】
【課題を解決するための手段】
上記課題を解決し目的を達成するために本発明の空気調和機の室内機は、下面に開口部を有し内部に熱交換器および送風機等を収容し被空調室の天井板に設けられる取付用開口部に嵌め込まれて天井裏に取付け固定される空気調和機本体と、この空気調和機本体の下面開口部を閉成し被空調室に露出するよう取付けられる化粧パネルとを具備し、
上記化粧パネルは、吸込口と吹出口および隅部に空気調和機本体の高さ調整等の作業に必要な開口部を有するパネル本体と、このパネル本体に取付け手段を介して取付けられ開口部を開閉自在とする化粧蓋と、この化粧蓋に設けられ長孔を備えた舌片部と、上記パネル本体に設けられ開口部へ突出して舌片部の長孔に挿通し、化粧蓋が脱落しようとする際に長孔端部に掛止して化粧蓋の脱落を防止する掛止フックとを具備する。
【００１４】
さらに、上記課題を解決し目的を達成するために本発明の空気調和機の室内機は、上述の空気調和機本体と化粧パネルとを具備し、
上記化粧パネルは、吸込口と吹出口および隅部に設けられ空気調和機本体の高さ調整等の作業に必要な開口部を有するパネル本体と、このパネル本体に取付け手段を介して取付けられ開口部を開閉自在とする化粧蓋と、この化粧蓋に設けられ左右両側に一対のピン体が突設される舌片部と、上記パネル本体に設けられ開口部へ突出して舌片部を左右両側から挟み込み化粧蓋が脱落しようとする際にピン体を掛止して化粧蓋の脱落を防止する一対の掛止フックとを具備する。
【００１５】
さらに、上記課題を解決し目的を達成するために本発明の空気調和機の室内機は、上述の空気調和機本体と化粧パネルとを具備し、
上記化粧パネルは、吸込口と吹出口および隅部に設けられ空気調和機本体の高さ調整等の作業に必要な開口部を有するパネル本体と、このパネル本体の開口部に一点枢支部を介して回動自在に取付けられ、上記枢支部を支点として回動することにより開口部を開閉自在とする化粧蓋とを具備する。
【００１６】
このような課題を解決する手段を採用することにより、化粧パネルに対して化粧蓋を確実に着脱させることができ、しかも誤って化粧蓋から手を滑らせたとしても化粧蓋の脱落を防止する。
【００１７】
【発明の実施の形態】
以下、本発明の一実施の形態に係る天井埋込型の空気調和機の室内機を図面にもとづいて説明する。
【００１８】
図１は、空気調和機の室内機を下面側から見た斜視図である。
【００１９】
この室内機は、天井板に設けられた取付用開口部に室内側から挿入され、吊りボルト等を介して、いわゆる天井裏（以上、図示しない）に吊持固定される室内機本体（空気調和機本体）１と、この室内機本体１の室内側に露出して取付けられる化粧パネル２を備えている。
【００２０】
室内機本体１は、下面開口部全てが開口し、上面部と全ての側面部が板面からなるハウジング３を備えている。このハウジング３の内周面には発泡スチロール等の断熱材からなるケーシングが取付けられていて、断熱構造をなしている。
【００２１】
ハウジング３内部の中央部には送風機が配置され、この送風機を囲むようにして、たとえば平面視でＬ字状に形成された一対の熱交換器部からなる室内熱交換器（以上、図示しない）が収容されている。
【００２２】
ハウジング３の下面開口部は、上記化粧パネル２によって閉成されている。この化粧パネル２は室内に露出し、ハウジング３周面と天井板の取付用開口部との隙間を遮蔽する。
【００２３】
上記化粧パネル２は、矩形状のパネル本体４を備えている。パネル本体４の中央部には矩形状の吸込口５が開口され、この吸込口５に吸込グリル６が着脱自在に取付けられている。上記吸込グリル６は、吸込口５における室内空気の流通を可能としながら、吸込口５からハウジング３内部に対する遮蔽をなす。
【００２４】
さらに、パネル本体４における吸込口５の各辺部に沿って、吹出口７ａ〜７ｄが設けられている。これら吹出口７ａ〜７ｄは、長手方向に対して幅方向が極端に短い細長矩形状をなしていて、４ヶ所設けられる。
【００２５】
各吹出口７ａ〜７ｄは、それ自体が外方へ曲成され、それぞれルーバー機構を構成するルーバーが取付けられて、化粧パネル２周辺の広い範囲に亘って吹出し案内するようになっている。
【００２６】
パネル本体４の四隅であるコーナー部には、それぞれ矩形状の開口部８が設けられている。これら開口部８に後述する化粧蓋１０が着脱自在に取付けられ、開口部８を開閉自在としている。
【００２７】
一方、ハウジング３は、天井裏空間の梁から垂下された４本の吊りボルトに吊下げ支持されている。すなわち、ハウジング３の外側面コーナー部には、水平方向外側に突出したフック部材１１が取付けられている。
【００２８】
このフック部材１１に設けられる長孔に上記吊りボルトを挿通し、この挿通部分の下側にナットを螺着する。これにより、ナットの上面にフック部材１１が当接することになり、ハウジング３が４箇所において吊りボルトに吊下げ支持される。
【００２９】
ナットの吊りボルトに対する螺着位置を調整することによって、ハウジング３の吊下げ高さ位置の調整が行える。上記開口部８はフック部材１１の真下に位置しているので、室内機本体１を天井板に取付けた状態で上記化粧蓋１０を取外し、開口部８を開放することにより上述の高さ調整作業が行える。
【００３０】
この調整作業等の際に、開口部８から取外した化粧蓋１０から誤って手を離した場合でも、脱落を防止する構造が採用されている。以下、化粧蓋１０の脱落防止構造について詳述する。
【００３１】
図２〜図５は、上記化粧蓋１０の脱落防止構造に係る、第１の実施の形態を示している。
【００３２】
図２は化粧パネル２から化粧蓋１０を取外した状態の平面図、図３は化粧蓋１０の平面図および側面図、図４は具体的な化粧蓋１０の脱落防止構造を示す説明図、図５は化粧パネル２に化粧蓋１０を取付けた状態の断面図および化粧蓋１０の脱落を防止した状態の断面図である。
【００３３】
上記パネル本体４には、上記開口部８と、吸込グリル６が取付けられる吸込口５との間にブリッジ部１２が介設される。したがって、ブリッジ部１２はパネル本体４の四辺を結合するよう、四隅に設けられる。
【００３４】
それぞれのブリッジ部１２とは上下方向に離間した位置で、かつブリッジ部１２から吸込口５側に、ねじ孔１３を備えたねじ固定部１４が突設される。上記吸込グリル６を取付けることにより、ねじ孔１３およびねじ固定部１４は吸込グリル６によって遮蔽され、外見的に全く見えない。
【００３５】
上記ブリッジ部１２には、開口部８へ突出する掛止フック１５が一体に設けられる。この掛止フック１５はパネル本体４の表面（室内機を取付けた状態で下面）から奥側（上面側）へ斜めに突出する杆体からなる。
【００３６】
上記開口部８は、先端角部を除く内周縁に沿って内縁部１６が設けられ、開口部に化粧蓋１０を取付けた状態で、化粧蓋１０の周縁部を受けるようになっている。また、開口部８の先端角部には、断面凹状の溝部１７が設けられいる。
【００３７】
上記化粧蓋１０は、パネル本体４の開口部８に嵌め込まれる形状寸法に成形される。化粧蓋１０の先端角部には、開口部８の対向位置に設けられる溝部１７に掛止するための片部１０ａが一体に折曲形成される。
【００３８】
この化粧蓋１０の基端側端部には、舌片部１８が一体に設けられる。上記舌片部１８は、断面逆Ｌ字状に折曲形成される片部であって、この基端と先端を除く折曲片部に亘って長孔１９が設けられている。
【００３９】
長孔１９の幅寸法は、上記パネル本体４に設けられる掛止フック１５が挿入可能であり、かつ上記固定ねじ部１４に設けられるねじ孔１３の直径と略同等に設定される。
【００４０】
実際には、図４および図５（Ａ）に示すように、化粧蓋１０はパネル本体４の開口部８に嵌め込まれ、開口部８を閉成している。化粧蓋１０の周縁部は開口部８の内縁部１６に密着し、かつ化粧蓋１０の先端角部に形成される片部１０ａは開口部８の先端角部に設けられる溝部１７に掛止される。
【００４１】
上記化粧蓋１０に設けられる舌片部１８の折曲片部は、パネル本体４のブリッジ部１２内側に突設される固定ねじ部１４に密着している。取付けねじ２０が舌片部１８の長孔１９端部を介して固定ねじ部１４のねじ孔１３に挿入され、舌片部１８をパネル本体４に螺着している。これら取付けねじ２０等で化粧蓋１０をパネル本体４に取付ける取付け部（取付け手段）Ｋが構成される。
【００４２】
上記化粧蓋１０のパネル本体４に対する取付け状態で、パネル本体４に設けられる掛止フック１５が舌片部１８の長孔１９に挿通し、先端部は長孔１９から出て開口部８に突出している。
【００４３】
このように構成された天井埋込型の空気調和機の室内機において、冷凍サイクル運転が開始されるとともに送風機が駆動されることにより、室内空気が化粧パネル２の吸込グリル６と吸込口５を介して室内機本体１内に吸引され、熱交換器において熱交換されたあと、吹出口７ａ〜７ｄを介して室内へ吹出される。
【００４４】
つぎに、室内機本体１の高さ微調整や、化粧パネル２の取付け位置の微調整などの作業時における、化粧蓋１０の着脱操作について説明する。
室内機を天井に取付ける際に、吊下げ高さ位置の調整が必要となった場合等の条件に応じて化粧蓋１０を取外し、開口部８を開放して調節作業を行う。この化粧蓋１０の取外しに先立って吸込グリル６の取外しが必要である。
【００４５】
上記吸込グリル６を取外すとブリッジ部１２の内側に取付けねじ２０頭が露出するので、この取付けねじ２０を外す。そして、図５（Ａ）に示す矢印方向に化粧蓋１０をスライド移動させる。化粧蓋１０の片部１０ａがパネル本体４の溝部１７から抜け出て、化粧蓋１０は自由状態になる。
【００４６】
この状態で誤って化粧蓋１０から手を離した場合でも、化粧蓋１０の脱落を確実に防止できる。また、意識して上記化粧蓋１０から手を離しても何らの支障もない。
【００４７】
すなわち、図５（Ｂ）に示すように、化粧蓋１０は一旦は落下するが、パネル本体４に設けられる掛止フック１５が化粧蓋舌片部１８の長孔１９に挿通する状態には変りがないので、掛止フック１５に対して長孔１９が滑り、長孔１９端部が掛止フック１５に掛止される。
【００４８】
化粧蓋１０先端の片部１０ａ側は大きく回動するが、掛止フック１５と長孔１９との掛止状態に変化がなく、自然的に舌片部１８と化粧蓋１０は掛止フック１５に対して吊持状態になる。
【００４９】
したがって、パネル本体４の開口部８から化粧蓋１０を移動すれば、開口部８が完全に開放される。この開口部８においてフック部材１１が見えるようになり、開口部８を介して上述した必要な作業が行える。
【００５０】
作業終了後は、上述の化粧蓋１０取外しの作業とは逆の作業を行って、パネル本体４に化粧蓋１０を取付けて開口部８を閉成する。
すなわち、化粧蓋１０の先端を持ってパネル本体４に合わせ、さらに化粧蓋１０を内側にずらす。化粧蓋１０の先端片部１０ａがパネル本体４の溝部１７に掛合するとともに、長孔１９端部がねじ孔１３に対向する。長孔１９端部を介してねじ孔１３に取付けねじ２０を螺挿すれば、化粧蓋１０の取付けが完了する。
【００５１】
このように、パネル本体４に掛止フック１５を設け、化粧蓋１０に長孔１９を備えた舌片部１８を設けて、掛止フック１５と長孔１９を掛止状態とするだけの比較的簡素な構成でありながら、化粧蓋１０の着脱が容易であるとともに、化粧蓋１０の脱落を確実に規制でき、作業性の向上を図れる。
【００５２】
なお、上記調節作業などで吊持状態にある化粧蓋１０が邪魔な場合は、この化粧蓋１０をパネル本体４から取外しすればよい。具体的には、吊持状態にある化粧蓋１０をある程度持ち上げて斜めの状態とし、さらに化粧蓋１０を押し込み掛止フック１５に対して長孔１９が自由に変位できるようにする。
【００５３】
図５（Ｂ）に一部を示すように、舌片部１８が掛止フック１５先端と化粧パネル１０部位との隙間に対向したら、二点鎖線矢印に示すように化粧蓋１０をパネル本体４から引き抜く。化粧蓋１０をパネル本体４から取外しできることになり、開口部８周辺の作業スペースが拡大する。
【００５４】
つぎに、図６〜図９にもとづいて、化粧蓋１０の脱落防止構造の第２の実施の形態を説明する。なお、上記第１の実施の形態と同一構成部品については同番号を付して新たな説明は省略する。（以下、同じ）
図６はパネル本体４から化粧蓋１０を取外した状態の平面図、図７は化粧蓋１０の平面図および側面図、図８は具体的な化粧蓋１０の脱落防止構造を示す説明図、図９はパネル本体４に化粧蓋１０を取付けた状態の断面図および化粧蓋１０の脱落を防止した状態の断面図である。
【００５５】
上記パネル本体４にブリッジ部１２が設けられ、吸込口５に突出してねじ孔１３を備えたねじ固定部１４が突設される。および、開口部８の内周縁に沿って内縁部１６が形成され、先端角部に溝部１７が設けられることは変りがない。
【００５６】
ここでは、ブリッジ部１２において開口部８側に２本の掛止フック１５Ａが互いに所定間隔を存し、かつ互いに並行して一体に突設される。これら掛止フック１５Ａの向きは先に説明したものと同一である。
【００５７】
一方、上記化粧蓋１０は、開口部８と同一形状寸法の矩形状に形成され、先端角部には片部１０ａが設けられ、隅部には舌片部１８Ａを備えている。上記片部１０ａと舌片部１８Ａとも、先きに説明したものと同一の形状寸法をなす。
【００５８】
ただし、舌片部１８Ａの折曲片部には上記ねじ固定部１４のねじ孔１３と同一径の取付け用孔２１が設けられ、その左右両側部には水平方向に突出する一対のピン体２２が設けられる。
【００５９】
実際には、図８および図９（Ａ）に示すように、化粧蓋１０はパネル本体４の開口部８に嵌め込まれ、開口部８を閉成している。化粧蓋１０の周縁部は開口部８の内縁部１６に密着し、化粧蓋１０の先端片部１０ａは開口部８の溝部１７に掛止される。
【００６０】
上記化粧蓋１０に設けられる舌片部１８Ａの一部がパネル本体４の固定ねじ部１４に密着し、舌片部１８Ａの取付け用孔２１が固定ねじ部１４のねじ孔１３に対向して、これらに取付けねじ２０が挿入螺着している。
【００６１】
したがって、化粧蓋１０は取付け部Ｋを介してパネル本体４に取付けられる。この状態で、パネル本体４に設けられる一対の掛止フック１５Ａ相互間に化粧蓋１０に設けられる舌片部１８Ａが介在し、ここでも化粧蓋１０の位置決めがなされる。
【００６２】
室内機本体１の吊下げ高さ位置の調整や、化粧パネル２の位置決め微調整の際には、パネル本体４から化粧蓋１０を取外し開口部８を開放したうえで、この開口部８を介して調節作業を行う。
【００６３】
このとき、図９（Ａ）に示す矢印方向に化粧蓋１０を一旦スライド移動させる。化粧蓋１０の先端片部１０ａがパネル本体４の溝部１７から抜け出て、化粧蓋１０は自由状態になる。
【００６４】
この状態で誤って化粧蓋１０から手を離した場合でも、化粧蓋１０の脱落を防止できる。また、意識して化粧蓋１０から手を離しても何らの支障もない。
【００６５】
すなわち、一対の掛止フック１５Ａ相互間に舌片部１８Ａが介在する状態は変りがないので、そのままの姿勢で化粧蓋１０が落下する。そして、図９（Ｂ）に示すように、舌片部１８に設けられる左右のピン体２２が掛止フック１５Ａに受け止められ掛止される。
【００６６】
化粧蓋１０の先端片部１０ａは大きく回動するが、掛止フック１５Ａとピン体２２との掛止状態に変化がなく、自然的に舌片部１８Ａを備えた化粧蓋１０が掛止フック１５Ａに対して吊持状態になる。
【００６７】
パネル本体４の開口部８が完全に開放されることになり、この開口部８を介して上述した必要な作業が行える。そして、必要に応じて化粧蓋１０をパネル本体４から引抜き可能であることと、作業終了後の化粧蓋１０のパネル本体４に対する取付け作業は、取外し作業とは逆の操作で行えばよいことは変りがない。
【００６８】
このように、パネル本体４に一対の掛止フック１５Ａを設け、化粧蓋１０に一対のピン体２２を設けて、化粧蓋１０の脱落時に掛止フック１５Ａとピン体２２を掛止状態とするだけの比較的簡素な構成でありながら、化粧蓋１０の脱落を確実に規制でき、作業性の向上を図れる。
【００６９】
つぎに、図１０にもとづいて、化粧蓋１０の脱落防止構造の第３の実施の形態を説明する。図１０は化粧パネル２の平面図である。
【００７０】
化粧パネル２を構成するパネル本体４のコーナー部に開口部８が設けられ、それぞれの開口部８は吊りボルト等の高さ調整部位（ハッチングで示す）に対向しており、開口部８には化粧蓋１０が開閉自在に嵌め込まれる。
【００７１】
ここでは、各化粧蓋１０はパネル本体４に１本の枢支ピン（枢支部）３０を介して取付けられる。上記枢支ピン３０はパネル４の隅部に設けられていて、この枢支ピン３０を介して化粧蓋１０はパネル本体４の面方向に沿って回動自在である。
【００７２】
必要に応じて枢支ピン３０を支軸として化粧蓋１０を回動付勢することにより、開口部８が開放される。この状態で、化粧蓋１０から手を離しても、化粧蓋１０がパネル本体４から脱落することがなく、安全性が確保される。
【００７３】
作業終了後に化粧蓋１０を元の位置まで回動すると、化粧蓋１０側縁が開口部８側縁と密接状態になり、開口部８は化粧蓋１０によって完全閉成される。
【００７４】
したがって、化粧蓋１０を枢支ピン３０を介してパネル本体４に枢支するだけの比較的簡素な構成でありながら、化粧蓋１０の脱落を確実に規制でき、作業性の向上を図れる。
【００７５】
図１１は、化粧蓋１０のパネル本体４に対する取付け手段に係る変形例である。
【００７６】
図１１（Ａ）はパネル本体４に対して化粧蓋１０を取外した状態を示す斜視図、図１１（Ｂ）はパネル本体４に化粧蓋１０を取付けた状態の一部断面図、図１１（Ｃ）はパネル本体４から化粧蓋１０を取外した状態の一部断面図である。
【００７７】
パネル本体４の開口部８内側には略Ｕ字状の切込みスリットが設けられ、このスリットに沿って切起し加工された状態の断面略Ｌ字状の押え片部４０が一体に設けられる。この押え片部４０は立上がり基端において上下面が凹陥形成され、先端側が弾性変形し易い構造をなしている。
【００７８】
押え片部４０の先端は下方に向かって突出する三角状の突出端４１となっており、この突出端４１と立上がり基端部との間には、下方に突出するボタン部４２がそれぞれ一体に設けられる。
【００７９】
一方、化粧蓋１０の端部には掛合用片部４３が一体に突設される。この掛合用片部４３の先端には矩形状の掛合用開口４４が設けられていて、上記押え片部４０先端の突出端４１が挿脱自在な形状寸法に形成される。
【００８０】
図１１（Ｂ）に示すように、化粧蓋１０がパネル本体開口部８に取付けられた状態で、化粧蓋１０の掛合用片部４３はパネル本体４の裏面（上面）に載り上げ、さらにこの掛合用片部４３上面に押え片部４０が載り上げるように寸法設定される。
【００８１】
したがって、押え片部４０が掛合用片部４３に対して強力な弾性力を付勢することとなり、化粧蓋１０をパネル本体４に確実に取付け固定できる。さらに、掛合用片部４３の掛合用開口４４に押え片部４０先端の三角状の突出端４１が挿入して、化粧蓋１０に対する位置決めを確実になす。
【００８２】
必要に応じて化粧蓋１０を取外すには、下方から押え片部４０を切起し加工することで形成される開口部４５を介してボタン部４２を押上げる。図１１（Ｃ）に示すように、押え片部４０は弾性変形して押上げられ、先端の突出端４１が掛合用片部４３の掛合用開口４４から抜け出る。
【００８３】
そこで、ボタン部４２に対する押上げ付勢力を保持したまま化粧蓋１０を図中矢印方向に移動して、掛合用開口４４の位置を押え片部突出端４１からずらす。化粧蓋１０は自由状態になってパネル本体４から取外すことができる。化粧蓋１０の位置決めと取外しが容易にでき、作業性の向上を図れる。
【００８４】
なお、本発明は実施の形態に限定されるものではなく、本発明の要旨を逸脱しない範囲で種々変形実施可能であるのは勿論である。
【００８５】
【発明の効果】
本発明によれば、比較的簡素な構成でありながら、化粧パネルに対して化粧蓋を確実に取付け・取外しが可能となり、取外しした際の落下防止を確実に図れる効果を奏する。
【図面の簡単な説明】
【図１】本発明の天井埋込型の空気調和機の室内機を下面側から示す斜視図。
【図２】化粧蓋の脱落防止構造に係る第１の実施の形態の、化粧パネルと化粧蓋を分離して示す下面図。
【図３】同実施の形態に係る、化粧蓋の正面図と断面図。
【図４】同実施の形態に係る、化粧蓋の化粧パネルに対する引掛け構造を説明する斜視図。
【図５】同実施の形態に係る、化粧蓋を化粧パネルに取付けた状態を示す断面図と、化粧蓋を取外した状態での落下防止構造を示す断面図。
【図６】化粧蓋の脱落防止構造に係る第２の実施の形態の、化粧パネルと化粧蓋を分離して示す下面図。
【図７】同実施の形態に係る、化粧蓋の正面図と側面図。
【図８】同実施の形態に係る、化粧蓋の化粧パネルに対する引掛け構造を説明する斜視図。
【図９】同実施の形態に係る、化粧蓋を化粧パネルに取付けた状態を示す断面図と、化粧蓋を取外した状態での落下防止構造を示す断面図。
【図１０】化粧蓋の脱落防止構造に係る第３の実施の形態の、化粧パネルの下面図。
【図１１】本発明の変形例を示す、化粧蓋を化粧パネルから取外した状態の化粧パネルと化粧蓋の斜視図と、化粧蓋の化粧パネルに対する取付け状態を示す断面図および化粧蓋を化粧パネルから取外した状態の断面図。
【符号の説明】
１…室内機本体（空気調和機本体）、２…化粧パネル、５…吸込口、７ａ〜７ｄ…吹出口、８…開口部、４…パネル本体、Ｋ…取付け部（取付け手段）、１０…化粧蓋、１９…長孔、１８…舌片部、１５…掛止フック、２２…ピン体、３０…枢支ピン（枢支部）。
【図１】
2004239560.tif 000003
【図２】
2004239560.tif 000004
【図３】
2004239560.tif 000005
【図４】
2004239560.tif 000006
【図５】
2004239560.tif 000007
【図６】
2004239560.tif 000008
【図７】
2004239560.tif 000009
【図８】
2004239560.tif 000010
【図９】
2004239560.tif 000011
【図１０】
2004239560.tif 000012
【図１１】
2004239560.tif 000013